(57)【要約】【課題】ファイル（データ）の持ち出しによる連携とセキュリティの確保を同時に確立する。【解決手段】情報通信端末とファイルの連携を行うクラウドストレージサーバであって、情報通信端末のアプリケーション機能を動作させることにより生成されたファイルを一時的に格納する格納手段を設定する設定手段と、アプリケーション機能の動作終了後に、格納手段に格納されたファイルを消去する消去手段と、を含む。【選択図】図１
2013235339.tif 000002
【特許請求の範囲】
【請求項１】
情報通信端末とファイルの連携を行うクラウドストレージサーバであって、
前記情報通信端末のアプリケーション機能を動作させることにより生成されたファイルを一時的に格納する格納手段を設定する設定手段と、
前記アプリケーション機能の動作終了後に、前記格納手段に格納されたファイルを消去する消去手段と、
を含むことを特徴とするクラウドストレージサーバ。
【請求項２】
前記格納手段の設定を有効又は無効に切り替える管理コンソールをさらに含み、
前記管理コンソールにより前記格納手段の設定が有効に切り替えられると、前記アプリケーション機能の終了後も前記ファイルの格納を継続し、前記アプリケーション機能の再起動時に前記ファイルを消去し、
前記格納手段の設定が無効に切り替えられると、前記アプリケーション機能の動作終了後に、前記ファイルを消去することを特徴とする請求項１に記載のクラウドストレージサーバ。
【請求項３】
情報通信端末とファイルの連携を行うクラウドストレージサーバであって、
前記情報通信端末のアプリケーション機能の動作履歴をリアルタイムで取得するする取得手段と、
前記取得手段により取得された動作履歴を記憶する記憶手段と、
を含むことを特徴とするクラウドストレージサーバ。
【請求項４】
前記動作履歴は、前記情報通信端末から前記クラウドストレージサーバに対する前記ファイルのアップロード履歴、前記クラウドストレージサーバから前記情報通信端末に対する前記ファイルのダウンロード履歴、前記情報通信端末における前記ファイルの複製履歴、前記情報通信端末における前記ファイルに対するアクセス権の変更履歴、前記情報通信端末における前記ファイルの変更履歴、追加履歴、削除履歴、及び前記情報通信端末における電話の発着信履歴のうち、少なくとも１つを含むことを特徴とする請求項３に記載のクラウドストレージサーバ。
【請求項５】
情報通信端末とファイルの連携を行うクラウドストレージサーバであって、
前記情報通信端末におけるフォルダの更新を監視する監視手段と、
前記フォルダの更新がなされると、前記更新されたフォルダの内容を記憶する記憶手段と、
を含むことを特徴とするクラウドストレージサーバ。
【請求項６】
前記監視手段は前記フォルダの更新を定期的に監視し、
前記記憶手段は、前記フォルダが更新された時点で、前記フォルダの更新前後における差分情報を記憶することを特徴とする請求項５に記載のクラウドストレージサーバ。
【請求項７】
前記情報通信端末は、パーソナルコンピュータ、タブレット端末、スマートフォンのうちの何れか１つを少なくとも含むことを特徴とする請求項１から６の何れか１項に記載のクラウドストレージサーバ。
【発明の詳細な説明】
【技術分野】
【０００１】
本発明は、クラウドストレージサーバに関する。
【背景技術】
【０００２】
２０１１年度の国内におけるスマートフォンの出荷台数は、前年度比２５０．５％の２１３１万台と予測されている。既に、国内外メーカの大半がスマートフォン市場に参入していることに加え、通信事業者はスマートフォンを主力商品と位置付けており、２０１１年度に出荷される移動体通信端末の過半数がスマートフォンとなる見通しである。
【０００３】
その中でも、スマートフォンの法人加入者は、２０１１年中に前年の約２倍となる１３４万人に拡大し、２０１５年には５５４万人に達する見通しである。さらに、２０１１年に発生した東日本大震災の影響で、企業が事業継続性や災害対策についての戦略を見直し、社員が様々な場所から社内ネットワーク等に接続して業務を行えるビジネスモビリティが重視されるようになった。
【０００４】
一方、個人向けクラウドサービスは、Ｇｏｏｇｌｅ（登録商標）、Ｗｉｎｄｏｗｓ  Ｌｉｖｅ（登録商標）、Ｅｖｅｒｎｏｔｅ（登録商標）、Ｄｒｏｐｂｏｘ（登録商標）が高い利用シェアを占めている。これらの個人向けのサービスを企業でも活用したいという要望が社員から上がってきているが、これらの個人向けサービスは、セキュリティ面が弱いので、企業がクラウドサービスを導入することにつき躊躇しているという背景がある。
【０００５】
そこで、企業が支給するスマートフォン等のデバイスと、社員の個人所有物である通信端末とを活用する検討も開始され、その結果、スマートフォン需要は法人向けにシフトし、クラウドサービスも企業向けが求められるようになってきている。そして、企業向けである以上、セキュリティ機能が強固なクラウドサービスが展開されつつある。
【０００６】
ここで、クラウドサービス及びクライアントの認証について説明する。近年、パーソナルコンピュータ（ＰＣ）、携帯端末、タブレット端末等のユーザが使用するスマートデバイスからインターネット等の広域ネットワーク上のサーバにアクセスし、サーバ上で情報処理を実行することで各種のサービスを受けられるクラウドサービスと呼ばれるサービスが普及している。
【０００７】
クラウドサービスを利用することで、従来ユーザ側の端末にアプリケーションをインストールして実行されていた情報処理をサーバが代行するため、ユーザは自身の端末のリソースの消費を抑えて種々のサービスを利用することができる。
【０００８】
また、インターネットのような広域ネットワークにおいて提供されるクラウドサービスをパブリッククラウドと呼ぶこともあるが、パブリッククラウドを提供することで、インターネットに接続できるより多くのユーザにサービスを提供することが可能となる。
【０００９】
しかしながら、スマートデバイスを使用したテレワーク（在宅勤務）対応時の企業が抱える課題として、社員間におけるデータ連携（持ち出し）とセキュリティとの関係がある。すなわち、企業向けである以上、セキュリティ機能が強固なクラウドサービスが要求されてきている。さらに、テレワーク（在宅勤務）時にも当該社員が勤務管理下にあるといった証跡、社員の意識付けも必要となってくる。
【先行技術文献】
【特許文献】
【００１０】
【特許文献１】特開２０１１−２１０１５１号公報
【特許文献２】特開２０１１−１９８２３６号公報
【発明の概要】
【発明が解決しようとする課題】
【００１１】
このような背景の下、特許文献１には、企業内ネットワークで構成されるサイトのようなプライベートサイトと、例えば、Ａｍａｚｏｎ（登録商標）Ｓ３のようなパブリックサイトとを有し、それらがネットワークで接続されているクラウドコンピューティングシステムにおいて、ユーザが使用するシンクライアント端末である利用者端末装置が、パブリックサイトとの接続を終了し、利用者端末装置を即時シャットダウンするとき、パブリックサイトのストレージ装置に書き込まれているデータが当該シャットダウンと共に消去される情報処理システムが記載されている。
【００１２】
また、特許文献２には、クラウドサービス提供装置に接続されたデータ収集装置（クライアント装置）から取得された監視データ（履歴情報）をバックアップすることにより、監視データの保全性の確保と、通信が遮断された場合の監視データの復旧を容易にするプラント監視支援システムが記載されている。
【００１３】
しかしながら、特許文献１に記載された情報処理システムでは、利用者端末装置がシャットダウンされない限り、ストレージ装置に書き込まれているデータはそのまま残存してしまうので、もし、利用者端末がアクセス権限を有しない第三者によって操作されたとき、ストレージ装置に書き込まれているデータが当該第三者に盗み見られてしまうという課題がある。
【００１４】
また、引用文献２に記載されたプラント監視支援システムでは、データ収集装置によって取得された監視データ（履歴情報）をすべてバックアップしていので、監視データ（履歴情報）を格納するＤＢ（Data Base）サーバの容量を大きくする必要があると共に、容量の大きい監視データ（履歴情報）を、クラウドサービス提供装置とデータ収集装置（クライアント端末）のと間のネットワークを通じて送受信する必要があるという問題がある。
【００１５】
そこで、本発明は、上記従来の問題点に鑑みてなされたもので、スマートデバイス等においてアプリケーション終了後にファイル（データ）を消去すると共に、スマートデバイス等のアクセス履歴を効率的にログとして保存することができるクラウドストレージサーバを提供することを目的とする。
【課題を解決するための手段】
【００１６】
上記課題を解決するため、請求項１に記載の本発明におけるクラウドストレージサーバは、情報通信端末とファイルの連携を行うクラウドストレージサーバであって、前記情報通信端末のアプリケーション機能を動作させることにより生成されたファイルを一時的に格納する格納手段を設定する設定手段と、前記アプリケーション機能の動作終了後に、前記格納手段に格納されたファイルを消去する消去手段と、を含むことを特徴とする。
【００１７】
また、請求項２に記載のクラウドストレージサーバは、請求項１に記載のクラウドストレージサーバにおいて、前記格納手段の設定を有効又は無効に切り替える管理コンソールをさらに含み、前記管理コンソールにより前記格納手段の設定が有効に切り替えられると、前記アプリケーション機能の終了後も前記ファイルの格納を継続し、前記アプリケーション機能の再起動時に前記ファイルを消去し、前記格納手段の設定が無効に切り替えられると、前記アプリケーション機能の動作終了後に、前記ファイルを消去することを特徴とする。
【００１８】
さらに、上記課題を解決するため、請求項３に記載の本発明におけるクラウドストレージサーバは、情報通信端末とファイルの連携を行うクラウドストレージサーバであって、前記情報通信端末のアプリケーション機能の動作履歴をリアルタイムで取得するする取得手段と、前記取得手段により取得された動作履歴を記憶する記憶手段と、を含むことを特徴とする。
【００１９】
また、請求項４に記載のクラウドストレージサーバは、請求項３に記載のクラウドストレージサーバにおいて、前記動作履歴は、前記情報通信端末から前記クラウドストレージサーバに対する前記ファイルのアップロード履歴、前記クラウドストレージサーバから前記情報通信端末に対する前記ファイルのダウンロード履歴、前記情報通信端末における前記ファイルの複製履歴、前記情報通信端末における前記ファイルに対するアクセス権の変更履歴、前記情報通信端末における前記ファイルの変更履歴、追加履歴、削除履歴、及び前記情報通信端末における電話の発着信履歴のうち、少なくとも１つを含むことを特徴とする。
【００２０】
そして、上記課題を解決するため、請求項５に記載の本発明におけるクラウドストレージサーバは、情報通信端末とファイルの連携を行うクラウドストレージサーバであって、
前記情報通信端末におけるフォルダの更新を監視する監視手段と、前記フォルダの更新がなされると、前記更新されたフォルダの内容を記憶する記憶手段と、を含むことを特徴とする。
【００２１】
また、請求項６に記載の本発明におけるクラウドストレージサーバは、請求項５に記載のクラウドストレージサーバにおいて、前記監視手段は前記フォルダの更新を定期的に監視し、前記記憶手段は、前記フォルダが更新された時点で、前記フォルダの更新前後における差分情報を記憶することを特徴とする。
【００２２】
さらに、請求項７に記載のクラウドストレージサーバは、請求項１から６の何れか１項に記載のクラウドストレージサーバにおいて、前記情報通信端末は、パーソナルコンピュータ、タブレット端末、スマートフォンのうちの何れか１つを少なくとも含むことを特徴とする。
【発明の効果】
【００２３】
本発明によれば、ファイル（データ）の持ち出しによる連携とセキュリティの確保を同時に確立することができるクラウドストレージサーバを得ることができる。
【図面の簡単な説明】
【００２４】
【図１】本発明の実施形態におけるクラウドストレージサーバを含むクラウドストレージシステムの構成を示す概略図である。
【図２】本発明の実施形態におけるクラウドストレージサーバのローカルワイプ機能の動作について説明するフローチャート図である。
【図３】本発明の実施形態におけるクラウドストレージサーバにログ情報として格納される項目を表す図である。
【図４】本発明の実施形態におけるクラウドストレージサーバの自動バックアップ機能を実行する時の情報通信端末（クライアントＰＣ）の操作画面について説明する図である。
【図５】本発明の実施形態におけるクラウドストレージサーバの自動バックアップ機能が実行されているときの情報通信端末（クライアントＰＣ）の表示画面について説明する図である。
【図６】本発明の実施形態におけるクラウドストレージサーバの自動バックアップ機能を実行した後のクラウドストレージサーバ側のブラウザ画面について説明する図である。
【図７】本発明の実施形態におけるクラウドストレージサーバの自動バックアップ機能を実行中の情報通信端末（クライアントＰＣ）のバックグラウンド画面について説明する図である。
【発明を実施するための形態】
【００２５】
次に、本発明を実施するための形態について図面を参照して詳細に説明する。なお、各図中、同一又は相当する部分には同一の符号を付しており、その重複説明は適宜に簡略化乃至省略する。
【００２６】
最初に、本発明の実施形態に係るクラウドストレージサーバを含むクラウドストレージシステムについて説明する。本発明の実施形態に係るクラウドストレージサーバを含むクラウドストレージシステムの前提となるクラウドサービスは、スマートフォンに代表されるスマートデバイスと企業専用プライベートクラウドとをオンラインで繋ぎ、外出先でのビジネスシーンを大きく変えるものである。
【００２７】
昨今、パーソナルコンピュータ（ＰＣ）、携帯端末、タブレット端末等のユーザが使用する端末からインターネット等の広域ネットワーク上のサーバにアクセスし、サーバ上で情報処理を実行することで各種のサービスを受けられるクラウドサービスと呼ばれるサービスが普及している。
【００２８】
クラウドサービスを利用することにより、従来ユーザ側の端末にアプリケーションをインストールし実行していた情報処理をサーバ側が代行して実行するため、ユーザは自身の端末のリソースの消費を抑えて種々のサービスを利用することが出来る。
【００２９】
また、インターネットのような広域ネットワークにおいて提供されるクラウドサービスをパブリッククラウドと呼ぶこともあるが、パブリッククラウドを提供することで、インターネットに接続できるより多くのユーザにサービスを提供することが可能となる。
【００３０】
このクラウドサービスを利用することにより、クラウドサービスに対応する専用のアプリケーションソフトウェアがインストールされたパーソナルコンピュータ（ＰＣ）からリアルタイムにアップロードされ、外出先で突然必要となったファイルデータ（文書、画像等）をスマートデバイスを用いて閲覧し、内勤の社員と連携してファイルデータを顧客へ送付することができる。
【００３１】
また、グループ別電話帳にアクセスし、顧客連絡先をチェックし、電話やメールで連絡を取ることができる。さらに、地図表示機能を用いて訪問先を確認し、現場の状況（写真／動画）をカメラで撮影し、そのファイル自体をクラウドにアップロードすることにより、リアルタイムでファイルの中身を共有することができる。例えば、会議の内容、顧客の生の声、及び通話内容を録音し、社内で共有することもできる。メモ機能を使用して、備忘録や報告事項をリアルタイムで共有することも可能である。
【００３２】
さらに、ライフログ機能で、スケジュール管理と、クラウドとの全てのデータのやり取り、通話履歴等を時系列で検索し、クラウドサービスに対応する専用のアプリケーションソフトウェアがインストールされたスマートデバイスを用いて、報告書に反映することができる。これにより、企業がスマートデバイスを社員に貸与し、現場と直結したビジネスの促進が可能となる。
【００３３】
そして、スマートデバイスがクラウドサービスを抜けると、スマートデバイス上のデータはスマートデバイスから全て消去（後述するいわゆるローカルワイプ）され、プライベートクラウドから入手したデータ、現場でキャプチャーしたデータ等は、スマートデバイス内に一切残さないといった、モビリティ型シンクライアントである。
【００３４】
次に、本発明の実施形態におけるクラウドストレージサーバを含むクラウドストレージシステムについて説明する。図１は、本発明の実施形態におけるクラウドストレージサーバを含むクラウドストレージシステムの構成を示す概略図である。
【００３５】
図１において、クラウドストレージシステム１００は、クラウドストレージサーバ１０１と、認証サーバ１０２と、管理サーバ１０３とから構成されている。クラウドストレージサーバ１０１は、クライアント端末であるスマートフォン１０７、タブレット端末１０８、及びパーソナルコンピュータ（ＰＣ）１０９のアプリケーション機能によって作成される各種ファイルのアップロードを受け、クラウドストレージサーバ内のフォルダ１０６に格納すること、及びフォルダ１０６に格納された各種ファイルを、クライアント端末であるスマートフォン１０７、タブレット端末１０８、及びパーソナルコンピュータ（ＰＣ）１０９に対してダウンロードすること、フォルダ１０６の管理、及びクラウドストレージサーバ１０１に対するアクセス管理等を行う。
【００３６】
認証サーバ１０２は、クライアント端末であるスマートフォン１０７、タブレット端末１０８、及びパーソナルコンピュータ（ＰＣ）１０９のライセンス認証、管理サーバ１０３に対するアプリケーションのバージョンアップの通知、及びアプリケーション（クライアント端末であるスマートフォン１０７、タブレット端末１０８、及びパーソナルコンピュータ（ＰＣ）１０９）の接続先クラウドストレージサーバ１０１（フォルダ１０６）の振り分け等を行う。
【００３７】
管理サーバ１０３は、３階層以上からなるマルチテナント型コンソールであり、クライアント端末であるスマートフォン１０７、タブレット端末１０８、及びパーソナルコンピュータ（ＰＣ）１０９のユーザ管理（ユーザの登録、停止、削除等）、クラウドストレージサーバ１０１の管理（ストレージ利用状況の参照、容量制限等）、クライアント端末であるスマートフォン１０７、タブレット端末１０８、及びパーソナルコンピュータ（ＰＣ）１０９に対するアプリケーション管理（アプリケーション配布管理等）、クライアント端末であるスマートフォン１０７、タブレット端末１０８、及びパーソナルコンピュータ（ＰＣ）１０９の後述するユーザログ機能等を有する。
【００３８】
そして、クライアント端末であるスマートフォン１０７、タブレット端末１０８、及びパーソナルコンピュータ（ＰＣ）１０９からクラウドストレージサーバ１０１に対して接続要求がなされると、管理サーバ１０３は、管理者ＰＣ１０４を用いてコンソール１０５を見ながら認証サーバ１０２に対して、接続要求を行ったクライアントに対するユーザ認証、パスワード、及びデバイス認証を用いた認証行為を行うよう命令を下すと共に、クライアント端末から要求されているクラウドストレージサーバ１０１の記憶容量を、クラウドストレージサーバ１０１に対して要求する。
【００３９】
このようにして、クラウドストレージサーバ１０１に対する接続要求が許可されたクライアント端末であるスマートフォン１０７、タブレット端末１０８、及びパーソナルコンピュータ（ＰＣ）１０９同士は、保有するアプリケーション機能を用いて様々なファイルの作成を行い、それらのファイルをクライアント端末のユーザ間で共有する。
【００４０】
具体的には、表計算ソフト、ワープロソフト等によって作成されたあらゆるファイルの連携、スマートフォン１０７によって撮影された写真（静止画、動画）ファイル、録音された音声ファイルの連携、また、クライアント端末であるスマートフォン１０７、タブレット端末１０８、及びパーソナルコンピュータ（ＰＣ）１０９を業務用で使用する場合、社内全体、部署別、及び個人の住所、電話番号をクラウドストレージサーバ１０１に保管すること、住所、電話番号と地図との連携、電話着信があったときの発信元表示、通話録音、メッセージ等の備忘録、カレンダーの日付を選択することによる当日の行動の検索、着信履歴に基づく電話帳の検索、等、あらゆるアプリケーション機能を実行することができる。
【００４１】
また、管理サーバ１０３では、クラウドストレージサーバ１０１に対するスマートフォン１０７、タブレット端末１０８、及びパーソナルコンピュータ（ＰＣ）１０９等のクライアント端末（以下、「スマートデバイス」ともいう。）からのクラウド切断、スマートデバイスユーザに関する後述するアクセスログ（ユーザログ）管理、スマートデバイスのデバイス認証、及びスマートデバイスのシンクライアント化としてスマートデバイス側にデータを残さないローカルワイプ機能等をクラウドストレージサーバ１０１に対して実行させる。
【００４２】
次に、スマートデバイスのシンクライアント化としてスマートデバイス側にデータを残さないローカルワイプ機能について説明する。図２は、本発明の実施形態におけるクラウドストレージサーバのローカルワイプ機能の動作について説明するフローチャート図である。なお、ローカルワイプ機能を実行されるクライアント端末としては、主に移動しながら用いられることが多いスマートフォン１０７やタブレット端末１０８が対象となる。また、ローカルワイプの対象となるファイルは、録音ファイル、写真（静止画、動画）ファイル、テキストファイル等クライアントが閲覧可能なファイルすべてであるが、電話帳ファイルは含まれない。
【００４３】
図２において、まず、クライアント端末においてアプリケーション機能が起動中であるか否かが判断される（ステップ（以下、「Ｓ」という。）２０１）。アプリケーション機能が起動中でないときには（Ｓ２０１：ＮＯ）、そのまま処理を終了する。アプリケーション機能が起動中であるときには（Ｓ２０１：ＹＥＳ）、Ｓ２０２へ移行する。
【００４４】
Ｓ２０２では、アプリケーションが終了したか否かが判断される。アプリケーションが終了していないときには（Ｓ２０２：ＮＯ）、アプリケーションが終了するまで待機する。アプリケーションが終了したときには（Ｓ２０２：ＹＥＳ）、Ｓ２０３へ移行する。
【００４５】
Ｓ２０３では、クライアント端末とクラウドストレージサーバ１０１（図１）との間の通信が終了したか否かが判断される。クラウドストレージサーバ１０１との間の通信が終了していないときには（Ｓ２０３：ＮＯ）、通信が終了するまで待機する。クラウドストレージサーバ１０１との間の通信が終了したときには（Ｓ２０３：ＹＥＳ）、Ｓ２０４へ移行する。
【００４６】
Ｓ２０４では、管理サーバ１０３（図１）により、クライアント端末側にキャッシュメモリ有の設定がなされたか否かが判断される。すなわち、管理サーバ１０３により、クライアント端末側に一時的な格納領域であるキャッシュメモリを設けるか否かの切り替えがなされる。管理サーバ１０３によってキャッシュメモリを設ける設定に切り替えられているときは（Ｓ２０４：ＹＥＳ）、Ｓ２０５へ移行し、当該キャッシュメモリにアプリケーション機能によって生成されたファイルを一時的に保存する。管理サーバ１０３によってキャッシュメモリを設ける設定に切り替えられていないときは（Ｓ２０４：ＮＯ）、Ｓ２０７へ移行し、アプリケーション機能によって生成されたファイルデータの消去、すなわち、ローカルワイプが行われる。
【００４７】
Ｓ２０６では、前回起動したアプリケーションと同一又は他のアプリケーション機能が再起動されたか否かが判断される。アプリケーション機能が再起動されないとき（Ｓ２０６：ＮＯ）は、再起動されるまで待機する。アプリケーション機能が再起動されたときは（Ｓ２０６：ＹＥＳ）、Ｓ２０７へ移行し、アプリケーション機能によって生成されたファイルデータの消去、すなわち、ローカルワイプが行われる。
【００４８】
また、上記説明したように、キャッシュメモリの有無は、管理サーバ１０３を操作する管理者ＰＣ１０４のコンソール１０５によってのみ切り替えられ、クライアント端末側で設定することはできない。さらに、クラウドストレージサーバ１０１側と、クライアント端末側とでデータ消去の不整合があったときには、クライアント端末側でチェックすることによって消去する。なお、クライアント側に設けるキャッシュメモリとして、ＳＤ（Secure Digital）カードのような記憶媒体を用いても良い。
【００４９】
次に、スマートデバイスユーザに関するアクセスログ（ユーザログ）について説明する。クラウドストレージサーバ１０１（図１）は、クライアント端末であるスマートフォン１０７、タブレット端末１０８、及びパーソナルコンピュータ（ＰＣ）１０９のすべての機種のアプリケーション機能の動作履歴に関するアクセスログを略リアルタイムで取得し記憶する。
【００５０】
ここで、クラウドストレージサーバ１０１が取得し記憶するログ項目について説明する。図３は、本発明の実施形態におけるクラウドストレージサーバにログ情報として格納される項目を表す図である。
【００５１】
ログ情報として格納される対象項目には、スマートデバイスからクラウドストレージサーバ１０１に対するファイルの編集を含むファイルのアップロード、クラウドストレージサーバ１０１からスマートデバイスに対するメール送信を含むファイルを表示するためのファイルのダウンロード、スマートデバイスにおけるファイルのコピー及びペースト、スマートデバイスにおけるファイルのアクセス権の変更、スマートデバイスにおけるフォルダ、イベント、電話帳の作成、削除、カレンダー機能、アドレス帳機能における新規追加、ファイル名の変更、イベント、電話帳の内容変更、電話の発着信といった各種履歴が存在する。
【００５２】
アクセスログ機能を用いることにより、例えば、企業の営業部員が、過去の商談の履歴がログ情報として格納されたカレンダー機能を用いて、商談時の写真ファイルが添付された営業報告を容易に作成することが可能となる。また、スマートデバイスのアクセス履歴がクラウドストレージサーバ１０１にログ情報として保存されることで、監査証跡となり企業の社員の意識付けにも沿うこととなる。すなわち、在宅勤務時においてもログが記録されるため、社員を企業管理下に置くこともできる。
【００５３】
また、この監査証跡は、スマートデバイス紛失時にも効果がある。すなわち、スマートデバイスが紛失されたときは、上述したローカルワイプ機能によりスマートデバイス中のデータを消去すると共に、管理者ＰＣ１０４によってコンソール１０５を用いることにより、当該紛失されたスマートデバイスからのアクセスを遮断する対応が取られるまでの間、当該スマートデバイスを拾得した第三者による使用に対するログも記録することが可能となる。
【００５４】
次に、クラウドストレージサーバ１０１が有する機能のうち、クライアント端末の中のパーソナルコンピュータ（ＰＣ）１０９の任意のフォルダを自動的にバックアップする機能について説明する。本発明の実施形態におけるクラウドストレージサーバ１０１は、クラウドストレージサーバ上のバックアップ領域に自動でバックアップを行う。図４は、本発明の実施形態におけるクラウドストレージサーバの自動バックアップ機能を実行する時の情報通信端末（クライアントＰＣ）の操作画面について説明する図である。
【００５５】
図４において、パーソナルコンピュータ１０９のバックアップフォルダ設定画面において、設定ボタン４０１から、任意のフォルダ４０２を選択し、設定ボタン４０３をクリックすることによりバックアップ対象フォルダに設定する。なお、Ｗｉｎｄｏｗｓ（登録商標）フォルダ、プログラムフォルダ、隠しフォルダ、アクセス権限のないフォルダ、ユーザアカウントで暗号化されたフォルダ等、バックアップ動作に多大な時間を要するフォルダや、ユーザの意図しないファイルが大量にクラウドストレージサーバ１０１にアップロードされることが懸念されるフォルダは、バックアップ機能を実施できないようになっている。
【００５６】
図５は、本発明の実施形態におけるクラウドストレージサーバの自動バックアップ機能が実行されているときの情報通信端末（クライアントＰＣ）の表示画面について説明する図である。図５において、バックグラウンド同期状況画面において、バックアップ動作の進捗率５０１をリアルタイムに確認することができる。なお、バックアップ処理は、バックアッップ対象フォルダを指定した時点でバックアップ処理が開始され、クラウドストレージサーバ１０１内のフォルダ１０６に格納される。
【００５７】
図６は、本発明の実施形態におけるクラウドストレージサーバの自動バックアップ機能を実行した後のクラウドストレージサーバ側のブラウザ画面について説明する図である。バックアップ処理が完了した後は、クラウドストレージサーバ１０１のブラウザ画面において、フォルダ１０６にバックアップフォルダが作成されたことを確認することができる。なお、フォルダ１０６に作成されたバックアップ設定中のフォルダ内ファイルは、ファイル権限としては読み取り専用ファイルとなる。
【００５８】
また、自動バックアップ機能を実行させる際、バックアップ対象フォルダの更新状況を常時又は定期的に監視し、当該フォルダが更新されたタイミングでクラウドストレージサーバ１０１に格納するようにしても良い。その際、当該フォルダの更新前後における変化の差分データのみをクラウドストレージサーバ１０１に格納するようにしても良い。
【００５９】
図７は、本発明の実施形態におけるクラウドストレージサーバの自動バックアップ機能を実行中の情報通信端末（クライアントＰＣ）のバックグラウンド画面について説明する図である。図７において、バックグラウンド画面には、アップロード対象のファイル名（１）、ファイルのアップロード状態（２）、アップロード処理の進捗状況（３）、アップロード対象ファイルのファイルサイズ（４）、エラーが起きた場合の具体的な不具合情報（５）、ログイン中のアカウントのユーザ名（６）、及びバックアップ対象フォルダのクライアントＰＣにおけるファイルフルパス（７）が表示される。
【００６０】
以上説明してきたように、本発明によれば、クラウドストレージサーバが、ローカルワイプ機能、ログ取得機能、及び自動バックアップ機能を具備することにより、ファイル（データ）の持ち出しによる連携とセキュリティの確保を同時に確立することができるクラウドストレージサーバを得ることができる。
【００６１】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００６２】
１００    クラウドストレージシステム
１０１    クラウドストレージサーバ
１０２    認証サーバ
１０３    管理サーバ
１０４    管理者パーソナルコンピュータ（ＰＣ）
１０５    コンソール
１０６    クラウドストレージサーバ内のフォルダ
１０７    スマートフォン
１０８    タブレット端末
１０９    パーソナルコンピュータ（ＰＣ）
４０１、４０３    設定ボタン
４０２    任意のフォルダ
５０１    バックアップ動作の進捗率
【図２】
2013235339.tif 000003
【図３】
2013235339.tif 000004
【図１】
2013235339.tif 000005
【図４】
2013235339.tif 000006
【図５】
2013235339.tif 000007
【図６】
2013235339.tif 000008
【図７】
2013235339.tif 000009